(57)【要約】【課題】建設工事現場において作業者の高所作業用に仮設される足場に安全対策用の巾木を取り付ける手段として活用出来る足場用巾木取付け用具を提供する。【解決手段】足場板の横に立設されている仮設足場用支柱に取り付けられるパイプクランプ１と、このパイプクランプ１に取り付けられて巾木の上側辺を支柱との間で挟持する巾木固定部材２から成り、パイプクランプ１は、支軸３によって開閉自在に連結された２つの挟持部材４，５、及び両挟持部材を閉動させて当該２つの挟持部材間で支柱を挟持させる締結用ボルトナット６から成り、巾木固定部材２は、パイプクランプ１の一方の挟持部材４を回転自在に貫通する回転軸８の外端部に取り付けられ、当該回転軸８の内端部には、抜け止め用の大径軸部１０が連設され、２つの挟持部材４，５間で支柱を挟持させたとき、回転軸８の大径軸部１０の先端面１０ａが支柱の周面に圧接される構成。【選択図】図１
2018123596.tif 000002
【特許請求の範囲】
【請求項１】
仮設足場の足場板の側辺に沿って配置された巾木を、前記足場板の横に立設されている仮設足場用支柱に固定する足場用巾木取付け用具であって、前記支柱に取り付けられるパイプクランプと、このパイプクランプに取り付けられて前記巾木の上側辺を前記支柱との間で挟持する巾木固定部材から成り、前記パイプクランプは、支軸によって開閉自在に連結された２つの挟持部材、及び両挟持部材を前記支軸の周りに閉動させて当該２つの挟持部材間で前記支柱を挟持させる締結用ボルトナットから成り、前記巾木固定部材は、前記パイプクランプの２つの挟持部材の内の一方の挟持部材を回転自在に貫通する回転軸の外端部に取り付けられ、当該回転軸の内端部には、抜け止め用の大径軸部が連設され、前記２つの挟持部材間で前記支柱を挟持させたとき、前記回転軸の大径軸部の先端面が前記支柱の周面に圧接されるように構成されている、足場用巾木取付け用具。
【請求項２】
前記巾木固定部材は、一端部が前記回転軸に取り付けられた棒状体の遊端部を折曲させたもので、この折曲部の先端が前記巾木に当接するように構成されている、請求項１に記載の足場用巾木取付け用具。
【請求項３】
前記回転軸が取り付けられる前記一方の挟持部材は、他方の挟持部材のある側が凹入するコ字形断面形状のものであって、このコ字形断面形状における底板部が平坦になった底板平坦領域が形成されており、前記回転軸は、前記底板平坦領域における底板部を貫通し且つ内端の大径軸部が当該底板部の平坦内面に隣接するように取り付けられ、この回転軸の外端部に取り付けられた前記巾木固定部材は、前記底板平坦領域における底板部と平行に位置するように構成されている、請求項１又は２に記載の足場用巾木取付け用具。
【発明の詳細な説明】
【技術分野】
【０００１】
本発明は、建設工事現場において作業者の高所作業用に仮設される足場に安全対策用の巾木を取り付けるための取付け用具に関するものである。
【背景技術】
【０００２】
建設工事現場において作業者の高所作業用に仮設される足場には、水平に架設された足場板の側辺、特に建設構造物に隣り合う内側辺とは反対の外側辺に、当該足場板より上方に立ち上がる高さの巾木を安全対策のために取り付けることが行われているが、従来は、足場板の横に立設されている仮設足場用支柱に巾木を番線で固定しており、専用の取付け用具が考えられていなかった。
【発明の概要】
【発明が解決しようとする課題】
【０００３】
上記のように番線で巾木を仮設足場用支柱に固定する従来の方法では、手間と時間がかかり、改善策が望まれていた。
【課題を解決するための手段】
【０００４】
本発明は、上記のような従来の問題点を解消することのできる足場用巾木取付け用具を提案するものであって、本発明に係る足場用巾木取付け用具は、後述する実施例との関係を理解し易くするために、当該実施例の説明において使用した参照符号を括弧付きで付して示すと、仮設足場の足場板(11)の側辺に沿って配置された巾木(14)を、前記足場板(11)の横に立設されている仮設足場用支柱(15)に固定する足場用巾木取付け用具(16)であって、前記支柱(15)に取り付けられるパイプクランプ(1)と、このパイプクランプ(1)に取り付けられて前記巾木(14)の上側辺を前記支柱(15)との間で挟持する巾木固定部材(2)から成り、前記パイプクランプ(1)は、支軸(3)によって開閉自在に連結された２つの挟持部材(4,5)、及び両挟持部材(4,5)を前記支軸(3)の周りに閉動させて当該２つの挟持部材(4,5)間で前記支柱(15)を挟持させる締結用ボルトナット(6)から成り、前記巾木固定部材(2)は、前記パイプクランプ(1)の２つの挟持部材(4,5)の内の一方の挟持部材(4)を回転自在に貫通する回転軸(8)の外端部に取り付けられ、当該回転軸(8)の内端部には、抜け止め用の大径軸部(10)が連設され、前記２つの挟持部材(4,5)間で前記支柱(15)を挟持させたとき、前記回転軸(8)の大径軸部(10)の先端面(10a)が前記支柱(15)の周面に圧接される構成になっている。
【発明の効果】
【０００５】
上記本発明の足場用巾木取付け用具は、仮設足場用支柱に隣接する状態で足場板の側辺に垂直向きに配置された巾木より少し上方の位置で前記パイプクランプを前記支柱に取り付けるのであるが、このときパイプクランプから垂れ下がる前記巾木固定部材の下端部が、巾木の前記支柱に隣接する側とは反対側の側面に隣接するように、前記支柱に対するパイプクランプの取付け高さと向きを決める。この状態でパイプクランプの２つの挟持部材を前記締結用ボルトナットの締め付けにより互いに閉動させて、当該パイプクランプを前記支柱に固定する。この結果、前記巾木固定部材が取り付けられている前記回転軸の大径軸部の先端面が前記支柱の周面に圧接されて回転不能になり、前記巾木固定部材の向きが、その下端部が巾木の側面に隣接する向きに固定され、巾木が前記支柱に隣接する状態で固定される。尚、パイプクランプの締結用ボルトナットを締め付け操作するとき、前記巾木固定部材の先端が巾木の側面に当接する向きに当該巾木固定部材をパイプクランプに対して指先で付勢しておくのが望ましい。
【０００６】
以上のように上記本発明の足場用巾木取付け用具によれば、建設現場において汎用されているパイプクランプに巾木固定部材を取り付けただけの極めて簡単な構造で安価に実施出来るものでありながら、巾木固定部材の向きを規制しながらパイプクランプを巾木脇の仮設足場用支柱に取り付けるだけの簡単容易な操作により、仮設足場用支柱に巾木を確実に固定することが出来、従来の番線を使用して巾木を仮設足場用支柱に固定する方法の問題点を完全に解消出来る。
【０００７】
上記本発明を実施する場合、前記巾木固定部材(2)は、一端部が前記回転軸(8)に取り付けられた棒状体の遊端部を折曲させたものとし、この折曲部(2a)の先端が前記巾木(14)に当接するように構成することが出来る。この構成によれば、強度の十分な巾木固定部材を既存の棒鋼材を利用して簡単且つ安価に構成することが出来、しかも巾木の側面に点圧接させて、巾木の固定効果を高めることが出来る。
【０００８】
又、汎用のパイプクランプにおいて周知なように、２つの挟持部材(4,5)の内の少なくとも一方、例えば前記締結用ボルトナット(6)のボルト(6a)が取り付けられる側の挟持部材(4)は、他方の挟持部材(5)のある側が凹入するコ字形断面形状のものであって、このコ字形断面形状における底板部(4b)が平坦になった底板平坦領域(4c)が形成されている。このようなパイプクランプ(1)を利用するときは、前記回転軸(8)は、前記底板平坦領域(4c)における底板部(4b)を貫通し且つ内端の大径軸部(10)が当該底板部(4b)の平坦内面に隣接するように取り付け、この回転軸(8)の外端部に取り付けられた前記巾木固定部材(2)が、前記底板平坦領域(4c)における底板部(4b)と平行に位置するように構成するのが望ましい。この構成によれば、前記回転軸の長さを最小限に抑えることが出来ると共に、薄板から形成されたパイプクランプであっても当該回転軸、延いては巾木固定部材をしっかりと支持させることが出来る。
【図面の簡単な説明】
【０００９】
【図１】図１Ａは、足場用巾木取付け用具の全体を示す一部切欠き平面図、図１Ｂは、同側面図である。
【図２】図２Ａ及び図２Ｂは、足場用巾木取付け用具の使用状態を示す一部縦断側面図である。
【図３】図３は、図２Ａに示す使用状態での一部横断平面図である。
【図４】図４Ａ及び図４Ｂは、足場用巾木取付け用具の更に別の使用状態を示す一部縦断側面図である。
【発明を実施するための形態】
【００１０】
図１Ａ及び図１Ｂにおいて、１はパイプクランプ、２は巾木固定部材である。パイプクランプ１は従来周知のものであって、支軸３により開閉自在に連結された一対の挟持部材４，５と、両挟持部材４，５を強制的に閉動させるための締結用ボルトナット６から構成されている。両挟持部材４，５は、何れも内側が凹入したコ字形断面となるように金属板をプレス加工して構成されており、締結用ボルトナット６のボルト６ａは、その一端が一方の挟持部材４の遊端部４ａにおける内側凹入部に遊嵌する状態で、当該遊端部４ａに支軸３と平行な支軸７により揺動自在に軸支され、他方の挟持部材５の遊端部５ａは、前記ボルト６ａが嵌脱自在な二股状に形成されている。従って、ボルト６ａを挟持部材５の二股状遊端部５ａから離脱させた状態では、両挟持部材４，５を自由に開閉させることが出来、遊端側にナット６ｂを位置させた状態のボルト６ａを挟持部材５の二股状遊端部５ａに嵌合させた状態でナット６ｂを締め付けることにより、挟持部材５を挟持部材４の側に強制的に閉動させて、両挟持部材４，５間でパイプ材などを締結出来る。
【００１１】
上記構成の従来周知のパイプクランプ１では、２つの挟持部材４，５の内、締結用ボルトナット６のボルト６ａが遊端部４ａに支軸７で軸支されている側の挟持部材４は、遊端部４ａから一定長さの領域の底板部４ｂが平坦になっている底板平坦領域４ｃが形成されている。この底板平坦領域４ｃにおける底板部４ｂに貫通孔８が設けられ、この貫通孔８に内側から外向きに回転軸９が貫挿されている。この回転軸９の内端には、抜け止め用の大径軸部１０が形成されていて、この大径軸部１０が底板平坦領域４ｃにおける底板部４ｂの平坦内面に隣接している。又、この大径軸部１０の軸方向の高さは、当該大径軸部１０が底板平坦領域４ｃにおける底板部４ｂの平坦内面に隣接しているときに、その先端面１０ａが、図１Ａに示すように側面視において挟持部材４の内周縁と一致するか僅かに内側へ出っ張るように設定されている。
【００１２】
前記巾木固定部材２は、所定長さの棒鋼材の一端部を前記回転軸９の外端部に直角向きに固着している。従ってこの巾木固定部材２は、底板平坦領域４ｃにおける底板部４ｂと平行になっているが、更にこの巾木固定部材２の遊端部には、底板平坦領域４ｃにおける底板部４ｂと平行な方向に折曲する折曲部２ａを形成している。尚、巾木固定部材２と回転軸９とは如何なる手段で固着しても良いが、溶接を避けるために、前記回転軸９に直径方向に貫通する貫通ネジ孔を設けると共に、この貫通ネジ孔に螺合貫通するネジ軸部２ｂを巾木固定部材２の端部に形成しておき、ネジ軸部２ｂを回転軸９の貫通ネジ孔に螺合貫通させた後、折曲部２ａの向きを調整した状態で、回転軸９の周面一部をカシメて回転軸９と巾木固定部材２とを固着することが出来る。図１Ａの９ａは、カシメ跡である。
【００１３】
図２Ａに示すように木製の足場板１１は、例えば足場用建て枠１２の足場板支持用横杆１３上に直接支持され、金属製の足場板で両端に係止金具を備えている足場板は、前記係止金具を足場用建て枠１２の足場板支持用横杆１３に嵌合係止させることにより、足場用建て枠１２の間で水平に支持されるが、以下は、足場用建て枠１２の足場板支持用横杆１３上に直接支持される木製の足場板１１を図示例として説明している。
【００１４】
例えば足場用建て枠１２の足場板支持用横杆１３を利用して水平に架設される足場板１１の側辺、特に建設構造物に隣り合う内側辺とは反対の外側辺に、当該足場板１１より上方に立ち上がる高さの巾木１４が、安全対策のために取り付けられる。この巾木１４は、足場用建て枠１２の足場板支持用横杆１３を支持している支柱（鋼管）１５の内側に垂直に配置されるが、足場板１１の長さ方向に隣接する２本の巾木１４は、図２Ｂに示すように、隣接する巾木端部１４ａ，１４ｂどうしが内外に重ねられる。又、図２Ａ，Ｂに示すように、巾木１４が足場板１１の側辺上面に載置される場合と、図４Ａに示すように足場板１１と支柱１５との間で足場板支持用横杆１３に巾木１４が支持される場合もあり、足場板１１と支柱１５との間の間隙が広いときには、図４Ｂに示すように、巾木１４の下端部を足場板１１の側辺に隣接させると共に当該巾木１４の上端を支柱１５に当接させるように、巾木１４を斜めに傾斜させて足場板支持用横杆１３に支持される場合もある。
【００１５】
上記何れの状態で配置された巾木１４であっても、この巾木１４は、上記構成の本発明に係る足場用巾木取付け用具１６を利用して支柱１５に固定することが出来る。具体的に説明すると、パイプクランプ１の２つの挟持部材４，５を開いた状態で、巾木１４より少し高い位置で支柱１５に横から外嵌させると共に両挟持部材４，５を閉動させ、ナット６ｂをボルト６ａの遊端付近まで移動させた状態の締結用ボルトナット６のボルト６ａを、挟持部材５の二股状遊端部５ａに嵌合させ、ナット６ｂを軽く締めて両挟持部材４，５間で支柱１５を挟持させる。この支柱１５に対するパイプクランプ１の取り付けに際しては、重力で垂下する巾木固定部材２の下端折曲部２ａが、巾木１４の上辺近くの外側面（支柱１５に隣接する側とは反対側の側面）に当接するように、パイプクランプ１の高さと向きを考慮しなければならない。
【００１６】
上記のように支柱１５に対してパイプクランプ１を仮止めしたならば、パイプクランプ１に対して巾木固定部材２を指先で巾木１４側へ押して、その折曲部２ａの先端を巾木１４の側面に押し付けた状態で、パイプクランプ１の締結用ボルトナット６のナット６ｂを完全に締め付け、パイプクランプ１を支柱１５に対して完全に固定する。この結果、パイプクランプ１の両挟持部材４，５間に挟持されている支柱１５の周面が、回転軸８の内端の大径軸部１０の先端面１０ａに圧接して、当該回転軸８の回転を不能にするので、巾木固定部材２は、その折曲部２ａの先端が巾木１４の側面に当接した向きで固定され、巾木１４が支柱１５に隣接する状態で固定される。
【００１７】
上記の足場用巾木取付け用具１６による巾木１４の固定作用は、固定する対象の巾木１４が、図２Ａ、図２Ｂ、図４Ａ、及び図４Ｂの何れの状態にあっても同様に行われることは明白であり、これら固定する対象の巾木１４の状態によって、支柱１５に対するパイプクランプ１の取付け高さや巾木固定部材２の傾斜角度が異なるに過ぎない。
【産業上の利用可能性】
【００１８】
本発明の足場用巾木取付け用具は、建設工事現場において作業者の高所作業用に仮設される足場に安全対策用の巾木を取り付ける手段として活用出来る。
【符号の説明】
【００１９】
１    パイプクランプ
２    巾木固定部材
２ａ    折曲部
２ｂ    ネジ軸部
３，７    支軸
４，５    挟持部材
４ａ    遊端部４ａ
４ｂ    底板部
４ｃ    底板平坦領域
５ａ    二股状遊端部
６    締結用ボルトナット
７    凹入段面
８    貫通孔
９    回転軸
９ａ    カシメ跡
１０    抜け止め用の大径軸部
１０ａ    先端面
１１    足場板
１２    足場用建て枠
１３    足場板支持用横杆
１４    巾木
１５    支柱（鋼管）
１６    足場用巾木取付け用具
【図１】
2018123596.tif 000003
【図２】
2018123596.tif 000004
【図３】
2018123596.tif 000005
【図４】
2018123596.tif 000006